(57)【要約】【課題】  動画、静止画の同時記録が可能な２板式撮像装置において、動画撮影用の撮像素子の非蓄積期間内で、静止画撮影のためのストロボやＡＦ補助光などの閃光手段による閃光（発光）を行わせることで、記録される動画像に対する閃光の影響を抑制し、安定した動画像記録を実現する。【解決手段】  動画像用のＣＣＤ１０５は結像光による電荷の蓄積処理と、蓄積した電荷を映像信号として読出及び記録処理を交互に行うことで動画像として撮像する。カメラマイコン１１１は、静止画の撮像指示が入力され、且つ、ストロボ装置１０９を使用すると判定した場合、その静止画撮像指示のタイミングが動画像用のＣＣＤ１０５の蓄積期間にある場合には、非蓄積期間になるを待ち、ストロボ装置１０９での閃光を開始すべくストロボ駆動制御部１１０に指示信号を出力すると共に静止画用ＣＣＤ１０７による蓄積を開始すべくＣＣＤ駆動制御部１０８に蓄積要求の指示を与える。【選択図】  図１
2005130100.tif 000002
【特許請求の範囲】
【請求項１】
動画像用の第１の撮像素子と、静止画用の第２の撮像素子とを有し、動画像、静止画像の記録を行う撮像装置であって、
前記第２の撮像素子による静止画撮像のため、撮像方向に閃光する閃光手段と、
前記第２の撮像素子による静止画撮像を指示する指示手段と、
該指示手段で静止画の撮像指示があった場合、前記第１の撮像素子の非蓄積期間の所定期間内で、前記閃光手段が閃光するよう制御駆動する閃光制御手段と、
前記閃光手段による閃光期間を含む期間、前記第２の撮像素子の蓄積を行い静止画を撮像する静止画撮像手段と、
を備えることを特徴とする撮像装置。
【請求項２】
前記閃光手段は、ＡＦ補助光を発生する手段であることを特徴とする請求項１に記載の撮像装置。
【請求項３】
前記閃光手段は、ストロボ光を発生する手段であることを特徴とする請求項１に記載の撮像装置。
【請求項４】
前記静止画撮像手段による前記第２の撮像素子の蓄積開始タイミングは、前記閃光制御手段による閃光開始タイミングに同期することを特徴とする請求項１乃至３のいずれか１項に記載の撮像装置。
【請求項５】
更に、前記第１の撮像素子による動画像の記録中か否かを判定する判定手段と、
該判定手段で動画像の非記録中であると判定した場合には、前記指示手段による静止画の撮像指示入力があったことをのみを条件に、前記閃光手段による閃光、前記第２の撮像素子による蓄積を開始し、静止画を撮像する手段と
を備えることを特徴とする請求項１乃至４のいずれか１項に記載の撮像装置。
【請求項６】
前記所定期間は、第１の撮像素子による非蓄積期間の開始時から、非蓄積期間の終了時より前記閃光期間だけ前の期間であることを特徴とする請求項１乃至５のいずれか１項に記載の撮像装置。
【請求項７】
動画像用の第１の撮像素子と、静止画用の第２の撮像素子と、前記第２の撮像素子による静止画撮像のため、撮像方向に閃光する閃光手段とを有し、動画像、静止画像の記録を行う撮像装置の制御方法であって、
第２の撮像素子による静止画撮像を指示する入力があった場合、前記第１の撮像素子の非蓄積期間の所定期間内で、前記閃光手段が閃光するよう制御駆動する閃光制御工程と、
前記閃光手段による閃光期間を含む期間、前記第２の撮像素子の蓄積を行い静止画を撮像する静止画撮像工程と、
を備えることを特徴とする撮像装置の制御方法。
【請求項８】
動画像用の第１の撮像素子と、静止画用の第２の撮像素子とを有し、動画像、静止画像の記録を行う撮像装置であって、
前記第２の撮像素子による静止画撮像のため、撮像方向に閃光する閃光手段と、
前記第２の撮像素子による静止画撮像を指示する指示手段と、
前記指示手段による静止画の撮像指示入力タイミングが、前記第１の撮像素子の非蓄積期間にある場合か否かを判定すると共に、蓄積期間にある場合には非蓄積期間になるまで待つ判定手段と、
該判定手段で非蓄積期間にあると判定した場合、前記第１の撮像素子の非蓄積状態を維持し、前記閃光手段が閃光するよう制御駆動する閃光制御手段と、
前記閃光手段による閃光期間を含む期間、前記第２の撮像素子の蓄積を行い静止画を撮像する静止画撮像手段と、
前記閃光手段による閃光期間が終了した場合、前記第１の撮像素子の蓄積を開始する動画像撮像タイミング制御手段と、
を備えることを特徴とする撮像装置。
【請求項９】
前記閃光手段は、ＡＦ補助光を発生する手段であることを特徴とする請求項８に記載の撮像装置。
【請求項１０】
前記閃光手段は、ストロボ光を発生する手段であることを特徴とする請求項８に記載の撮像装置。
【請求項１１】
前記静止画撮像手段による前記第２の撮像素子の蓄積開始タイミングは、前記閃光制御手段による閃光開始タイミングに同期することを特徴とする請求項８乃至１０のいずれか１項に記載の撮像装置。
【請求項１２】
更に、前記第１の撮像素子による動画像の記録中か否かを判定する第２の判定手段と、
該第２の判定手段で動画像の非記録中であると判定した場合には、前記指示手段による静止画の撮像指示入力があったことのみを条件に、前記閃光手段による閃光、前記第２の撮像素子による蓄積を開始し、静止画を撮像する手段と
を備えることを特徴とする請求項８乃至１１のいずれか１項に記載の撮像装置。
【請求項１３】
動画像用の第１の撮像素子と、静止画用の第２の撮像素子と、前記第２の撮像素子による静止画撮像のため、撮像方向に閃光する閃光手段とを有し、動画像、静止画像の記録を行う撮像装置の制御方法であって、
前記第２の撮像素子による静止画撮像を指示入力のタイミングが、前記第１の撮像素子の非蓄積期間にある場合か否かを判定すると共に、蓄積期間にある場合には非蓄積期間になるまで待つ判定工程と、
該判定工程で非蓄積期間にあると判定した場合、前記第１の撮像素子の非蓄積状態を維持し、前記閃光手段が閃光するよう制御駆動する閃光制御工程と、
前記閃光手段による閃光期間を含む期間、前記第２の撮像素子の蓄積を行い静止画を撮像する静止画撮像工程と、
前記閃光手段による閃光期間が終了した場合、前記第１の撮像素子の蓄積を開始する動画像撮像タイミング制御工程と、
を備えることを特徴とする撮像装置の制御方法。
【発明の詳細な説明】
【技術分野】
【０００１】
本発明は動画用の撮像素子、及び静止画用の撮像素子を有する撮像装置及びその制御方法に関するものである。
【背景技術】
【０００２】
ビデオカメラで動画を撮影している際に、特定のシーンを静止画で記録したいという要求がある。この要求に対し、スチルカメラとビデオカメラを組み合わせて一台の装置とし、ビデオカメラでの撮影を中断することなく、スチルカメラを操作してスチル撮影を可能にするスチルカメラ付きビデオカメラが提案されている（例えば、特許文献１参照）。
【０００３】
しかしながら、上記の提案ではスチル撮影時にストロボやＡＦ補助光などの閃光装置を用いると、動画像の撮影画面が閃光装置の影響を受け、画質が乱れてしまう欠点を有していた。
【０００４】
また、閃光装置発光時の映像信号を閃光装置発光直前の映像信号に置き換えることのできる複合カメラが提案されている（特許文献２参照）。しかし、過去の映像をはめこむために一時的にフレームレートが変化し、動きがぎこちなくなってしまう。また、閃光装置発光直前の映像信号を記憶するために新たにフィールドメモリを必要とするため、コストアップにつながってしまう。
【特許文献１】特許第２５７３６００号公報
【特許文献２】特開２００２−１９９２７３号公報
【発明の開示】
【発明が解決しようとする課題】
【０００５】
本発明では上記の問題点を鑑みなされたものであり、動画、静止画の同時記録が可能な撮像装置において、静止画撮像のための閃光による動画像撮像への影響を抑制し、安定した動画像記録を実現する技術を提供するものである。
【課題を解決するための手段】
【０００６】
かかる課題を解決するため、本発明の撮像装置は以下の構成を備える。すなわち、
動画像用の第１の撮像素子と、静止画用の第２の撮像素子とを有し、動画像、静止画像の記録を行う撮像装置であって、
前記第２の撮像素子による静止画撮像のため、撮像方向に閃光する閃光手段と、
前記第２の撮像素子による静止画撮像を指示する指示手段と、
該指示手段で静止画の撮像指示があった場合、前記第１の撮像素子の非蓄積期間の所定期間内で、前記閃光手段が閃光するよう制御駆動する閃光制御手段と、
前記閃光手段による閃光期間を含む期間、前記第２の撮像素子の蓄積を行い静止画を撮像する静止画撮像手段とを備える。
【発明の効果】
【０００７】
本発明によれば、動画、静止画の同時記録が可能な２板式撮像装置において、動画撮影用の撮像素子の非蓄積期間内で、静止画撮影のためのストロボやＡＦ補助光などの閃光手段による閃光（発光）を行わせることで、記録される動画像に対する閃光の影響を抑制し、安定した動画像記録を実現することができる。
【発明を実施するための最良の形態】
【０００８】
以下、添付図面に従って本発明に係る実施形態を詳細に説明する。
【０００９】
図１は、実施形態における撮像装置の構成を示す概略構成図である。
【００１０】
図中、１０１はレンズであり、レンズ１０１の後方には絞り１０２が配置されている。レンズ１０１、絞り１０２を介した光は、ハーフミラー１０３により２方向に分離され、それぞれ、Ｍｏｖｉｅ（動画）用ＣＣＤ１０５およびＳｔｉｌｌ（静止画）用ＣＣＤ１０７の結像面上に被写体像として結像される。この際、Ｓｔｉｌｌ用ＣＣＤ１０７の前面にはシャッター１０４が設けられ、Ｓｔｉｌｌ用ＣＣＤ１０７からの信号読み出し期間中に余分な電荷が蓄積されないようになっている。Ｍｏｖｉｅ用ＣＣＤ１０５およびＳｔｉｌｌ用ＣＣＤ１０７において、結像された被写体像は光信号から映像信号に変換される。
【００１１】
なお、Ｓｔｉｌｌ（静止画）用ＣＣＤ１０７の撮像画素数は、昨今のデジタルカメラのそれと同様、静止画としての画質や解像度を高めるため、数百万画素クラスのものを用いる。すなわち、Ｍｏｖｉｅ（動画）用ＣＣＤ１０５の画素数よりも十分に多い。
【００１２】
Ｍｏｖｉｅ用ＣＣＤ１０５により得られた映像信号は、Ｍｏｖｉｅ用信号処理部１１２に送られる。映像信号はＭｏｖｉｅ用信号処理部１１２において所定の処理を施され、着脱自在な磁気テープ１１５に記録、或いは／及びディスプレイ１１６に出力される。なお、ここでは動画像を記録する媒体として磁気テープを例にしているが、ディスク等の回転記憶媒体でも良いのは言うまでもない。
【００１３】
Ｓｔｉｌｌ用ＣＣＤ１０７により得られた画像信号は、Ｓｔｉｌｌ用信号処理部１１４に送られる。画像信号はＳｔｉｌｌ用信号処理部１１４において所定の処理（補正や圧縮符号化）を施され、着脱自在なメモリカード１１８に記録される。
【００１４】
１１１は装置全体の制御を司るカメラマイコンである。Ｍｏｖｉｅ用ＣＣＤ駆動制御部１０６およびＳｔｉｌｌ用ＣＣＤ駆動制御部１０８を通じて、Ｍｏｖｉｅ用ＣＣＤ１０５およびＳｔｉｌｌ用ＣＣＤ１０７の蓄積、読み出しなどの制御を行う。さらに、静止画を撮影するための補助手段であるストロボ装置１０９の発光量および発光タイミングなどの制御を、ストロボ駆動制御部１１０を通じて行う。動画撮影中にストロボ装置１０９を用いて静止画撮影を行う場合、カメラマイコン１１１は、Ｓｔｉｌｌ用ＣＣＤ駆動制御部１０８およびストロボ駆動制御部１１０に命令を送り、Ｓｔｉｌｌ用ＣＣＤ１０７の蓄積期間およびストロボ装置１０９の発光タイミングを制御し、静止画撮影を行う。
【００１５】
カメラマイコン１１１による、Ｍｏｖｉｅ用ＣＣＤ１０５およびＳｔｉｌｌ用ＣＣＤ１０７およびストロボ装置１０９の制御については、後で詳しく述べる。
【００１６】
図２は、実施形態における撮像装置の概観を示す斜視図である。
【００１７】
図中、１２０は撮像装置本体である。撮像装置本体１２０内部には、磁気テープ１１５およびメモリカード１１８などの記録媒体が収納され、映像信号および静止画像を記録再生できるようになっている。１２１はレンズ部である。１２２はマイクであり、撮影時の音声を記録するために備えられている。１２３は電子式ビューファインダ（ＥＶＦ）であり、覗き込むことによりカメラ撮影時に被写体を狙ったり確認したりするために備えられている。
【００１８】
１２４は動画用トリガースイッチである。動画用トリガースイッチ１２４はプッシュボタンであり、動画撮影開始および終了を機器に伝達するためにユーザが操作するスイッチである。このスイッチ１２４を押下すると録画状態（磁気テープ１１５への記録状態）となり、もう一度押下すると録画終了（非記録状態）となる。
【００１９】
１２５は静止画用トリガースイッチである。静止画用トリガースイッチ１２５はプッシュボタンであり、静止画撮影開始および終了を機器に伝達するためにユーザが操作するスイッチである。このスイッチは一度の押下によって、その時点での露光量等に基づいて決定された露出時間だけシャッター１０４を開き、Ｓｔｉｌｌ用ＣＣＤ１０７に電荷を蓄積させ、静止画信号として取り出し、所定の画像処理及び圧縮符号化を施して、メモリカード１１８に格納することになる。
【００２０】
１３１はストロボ装置１０９に対応するものであり、静止画を撮影する際の補助手段として、必要に応じて発光する。
【００２１】
１２６はモードダイヤルであり、回転式のスイッチからなる。モードダイヤル１２６では、例えば再生モードに設定する“再生”、カメラモードに設定する“カメラ”およびそのいずれでもない“電源ＯＦＦ”のいずれかを選択できる。
【００２２】
１２７は操作スイッチ群であり、ユーザが本体を操作するため、特に再生系やメニュー操作などのためのキーが配置されている。
【００２３】
１２８は本体側面に開閉自在となるように取り付けられた液晶パネルであり、ＥＶＦ１２３と同様に、カメラ撮影時には被写体像の確認、再生時には再生画像の表示に主に使用される。液晶パネル１２８は、本体１２０から開いている状態で、さらに水平方向にも回転可能になっている。図１におけるディスプレイ１１６は、液晶パネル１２８、電子式ビューファインダ（ＥＶＦ）１２３に対応するものである。
【００２４】
１２９はスピーカであり、再生するときに音声を出力するために設けられている。１３０はバッテリであり、本体１２０と着脱可能になっている。
【００２５】
次に、本実施形態の撮像装置における静止画撮影処理について、図１の概略構成図および図２の装置斜視図および図４のフローチャートを参照しながら説明する。なお、カメラマイコン１１１は、公知技術により、レンズ１０１、絞り１０２を制御することで、ＡＦ，ＡＥを行うことになるが、これは、Ｍｏｖｉｅ用ＣＣＤ駆動部１０６に対して蓄積期間を設定することでもある点に注意されたい。また、説明を簡単なものとするため、実施形態における動画像の撮像はＮＴＳＣ方式で、１秒当たり６０フィールドを撮像するものとする。
【００２６】
静止画用トリガースイッチ１２５がユーザにより押されると、静止画撮影要求がなされる（ステップＳ１０２）。ここで、カメラマイコン１１１は、動画撮影記録中（動画像を磁気テープ１１５に記録中）かどうかの判断を行い（ステップＳ１０３）、動画撮影記録中でないと判断した場合、Ｓｔｉｌｌ用ＣＣＤ駆動制御部１０８に制御信号を送り、Ｓｔｉｌｌ用ＣＣＤ１０７を制御し、通常どおりの静止画撮影を行う（ステップＳ１０８）。このとき、ストロボ装置１０９を閃光させるか否かは問わない。
【００２７】
因に、閃光を行う条件としては、操作スイッチ群１２７を操作してユーザが意図的に閃光することを指示した場合、操作スイッチ群１２７を操作して自動ストロボモードを設定してあって、カメラマイコン１１１が露光量等に基づいて閃光することを決定した場合の２通りある。
【００２８】
一方、動画撮影記録中に、静止画用トリガースイッチ１２５が押下されたと判断した場合、カメラマイコン１１１は、静止画撮影にストロボ装置１０９を使用（閃光）するかどうかの判断を行う（ステップＳ１０４）。ストロボ装置１０９を使用しない場合には、カメラマイコン１１１は、Ｓｔｉｌｌ用ＣＣＤ駆動制御部１０８に命令を送り、Ｓｔｉｌｌ用ＣＣＤ１０７を制御し、通常どおりの静止画撮影を行う（ステップＳ１０８）。
【００２９】
また、ストロボ装置１０９を使用すると判断した場合、カメラマイコン１１１は、Ｍｏｖｉｅ用ＣＣＤ１０５が、非蓄積期間内の所定期間内（詳細後述）にあるか否かを判断する。否の場合には、その所定期間内になるまで待機する。
【００３０】
こうして、Ｍｏｖｉｅ用ＣＣＤ１０５の非蓄積期間内の所定期間にあると判断すると、ストロボ装置１０９を閃光させるべく、カメラマイコン１１１はストロボ駆動制御部１１０に駆動制御信号を出力する（ステップＳ１０６）と共に、シャッター１０４に対して開放時間の設定及びＳｔｉｌｌ用ＣＣＤ１０７へ蓄積開示を行わせ、静止画撮影を行わせる（ステップＳ１０７）。この結果、Ｓｔｉｌｌ用ＣＣＤ１０７によって撮像して得られた画像信号は、Ｓｔｉｌｌ信号処理部１１４で所定の処理及び圧縮符号化が行われメモリカード１１８に格納される。
【００３１】
動画像撮影処理については、周知の技術に従うものとして説明は省略する。以下では、静止画撮影時におけるＭｏｖｉｅ用ＣＣＤ１０５およびＳｔｉｌｌ用ＣＣＤ１０７の蓄積期間、およびストロボ装置１０９の閃光期間について、図３のタイミング概略図を参照しながら説明する。
【００３２】
図３（Ａ）は、Ｍｏｖｉｅ用ＣＣＤ１０５により撮影記録中であって、Ｍｏｖｉｅ用ＣＣＤ１０５での蓄積期間中に静止画用トリガースイッチ１０４が押下された例を示している。図示のＴｓが静止画用トリガースイッチ１０４が押下されたタイミングである。
【００３３】
ここで、実施形態では、動画像はＮＴＳＣで６０フィールド／秒で撮影する例で説明しているから、Ｍｏｖｉｅ用ＣＣＤ１０５による蓄積期間Ｔｃと読出期間（非蓄積期間）Ｔｒの合算期間は１／６０秒となる。
【００３４】
ストロボ装置１０９を閃光しない場合には、動画像の撮影と静止画の撮影は互いに干渉することはないから、静止画用トリガースイッチ１０４が押下されたタイミングＴｓにおいて、Ｓｔｉｌｌ用ＣＣＤ１０７を蓄積を開始ても構わない。このときのＳｔｉｌｌ用ＣＣＤ１０７を蓄積期間は、静止画用トリガースイッチ１０４が押下された時点における露光量に基づく時間となる。そして、その蓄積期間が終わると、Ｓｔｉｌｌ用ＣＣＤ１０７より信号を読出し、静止画信号処理部１１４で所定の処理（画像圧縮符号化処理も含む）を行い、メモリカード１１８に格納する。
【００３５】
一方、ストロボ装置１０９を閃光させる場合のタイミングを示すのが図３（Ｂ）である。
【００３６】
図３（Ｂ）は、比較のため、同図（Ａ）と同様の状況において、静止画用トリガースイッチ１０４が押下された例を示している。
【００３７】
静止画用トリガースイッチ１０４が押下されたタイミングＴｓは、Ｍｏｖｉｅ用ＣＣＤ１０５による蓄積期間である。従って、Ｍｏｖｉｅ用ＣＣＤ１０５による蓄積期間が終了する（もしくは、Ｍｏｖｉｅ用ＣＣＤ１０５から映像信号を読出す）タイミングＴ１になるのを待って、ストロボ装置１０９の閃光とＳｔｉｌｌ用ＣＣＤ１０７を蓄積を開始する。この後の処理は、同図（Ａ）の静止画撮影処理と同様である。
【００３８】
次に、静止画用トリガースイッチ１０４が押下されたタイミングＴｓが、Ｍｏｖｉｅ用ＣＣＤ１０５からの信号の読出し期間にある場合を図３（Ｃ）に従って説明する。
【００３９】
この場合、基本的には、静止画用トリガースイッチ１０４が押下されたタイミングＴｓにて、ストロボ装置１０９の閃光とＳｔｉｌｌ用ＣＣＤ１０７を蓄積を開始すれば良い。ただし、ストロボ装置１０９による閃光（発光）時間ΔＴ（一般に、約１／８０００秒程度）を加味する必要があるので、次の条件を満たす必要がある。
【００４０】
すなわち、次のフィールドの蓄積開始タイミングＴ２よりも閃光期間ΔＴだけ前のタイミングをＴ３と定義したとき、期間Ｔｆ（＝Ｔ１〜Ｔ３までの期間）内で、静止画用トリガースイッチ１０４が押下されたタイミングＴｓがあれば、そのタイミングＴｓにて、ストロボ装置１０９の閃光と、Ｓｔｉｌｌ用ＣＣＤ１０７を蓄積を開始する。それ以外では、次のフィールドの蓄積が完了するタイミングＴ４になるまで待つ。
【００４１】
以上であるが、図３（Ｂ）、（Ｃ）のいずれであっても、静止画用トリガースイッチ１０４が押下されたタイミングＴｓが期間Ｔｆ内にあれば、そのタイミングＴｓにてストロボ装置１０９の閃光とＳｔｉｌｌ用ＣＣＤ１０７を蓄積を開始する。もし、タイミングＴｓが期間Ｔｆ外にある場合には、次のフィールドの蓄積期間が完了するのを待って、ストロボ装置１０９の閃光とＳｔｉｌｌ用ＣＣＤ１０７を蓄積を開始するようにする。
【００４２】
以上の結果、ストロボ装置１０９を用いる静止画撮像の際には、静止画用トリガースイッチ１０４が押下してから、最大でΔＴ＋Ｔｃだけディレイしたタイミングにて、Ｓｔｉｌｌ用ＣＣＤ１０７による撮像が開始されることになるが、少なくともこの期間は人間には知覚できない、もしくは知覚しがたい時間であるので実用上の問題はない。
【００４３】
以上述べたように、本実施形態に従えば、動画、静止画の同時記録が可能な２板式撮像装置において、動画撮影用ＣＣＤの非蓄積期間内に、静止画撮影のためのストロボ装置１０９の閃光期間が存在すようにすることで、動画像が閃光装置による閃光の影響を受けることなく、安定した動画像記録を実現することができる。
【００４４】
なお、上記例では、図４のフローチャートに従ってカメラマイコン１１１が制御する例を説明したが、図３（Ｂ）の期間Ｔｆを定義するタイミングＴ１、Ｔ３は、Ｍｏｖｉｅ用ＣＣＤ１０５による動画像撮影中に一意に決定される。これをハードウェアで実現する場合には、例えば図５のような構成で実現できよう。
【００４５】
同図において、５１は所定のクロックを計数し、Ｍｏｖｉｅ用ＣＣＤ１０５の蓄積開始信号（ＣＣＤ駆動制御部１０６から出力される信号の１つ）でリセットされるカウンタである。なお、Ｍｏｖｉｅ用ＣＣＤ１０５の読出し開始を示す信号でリセットしても良い。５２、５３は上記タイミングＴ１、Ｔ３に相当する数値をセットするレジスタであり、５４、５５は比較器である。比較器５４はカウンタ５１にて計数される値がレジスタ５２に設定された値より大きくなった場合に「１(High)」の信号を、それ以外では「０（low）」信号を出力する。比較器５５はカウンタ５１にて計数される値が、レジスタ５３にセットされる数値以下の場合に「１」、それ以外では「０」を出力する。５６はＡＮＤ回路であって、比較器５４、５５からの信号が共に「１」であるときのみ、その出力を「１」にし、それ以外では「０」を出力する。
【００４６】
かかる構成によれば、レジスタ５１、５２に、動画撮影している最中のＭｏｖｉｅ用ＣＣＤ１０５の蓄積期間に基づく値をセットするだけで、図３（Ｃ）の期間Ｔｆに相当する間だけ「１」となる信号を生成することができる。従って、このＡＮＤ回路５６の出力信号が、ストロボ装置１０９の閃光許可並びにＳｔｉｌｌ用ＣＣＤ１０７を蓄積開始の信号として利用できる。
【００４７】
なお、図５の回路構成は、ストロボ装置１０９を使用する場合にのみ機能するものである。ストロボ装置１０９を使用しない場合には、ＡＮＤ回路５６からの信号は不使用であり、静止画用トリガースイッチ１０４が押下されたタイミングでストロボ装置１０９の閃光とＳｔｉｌｌ用ＣＣＤ１０７を蓄積を開始すれば良い。また、図５は一例であってこれによって本発明が限定されるものではない。
【００４８】
また、実施形態では、閃光源としてストロボ装置１０９を例にして説明したが、静止画撮影する際にＡＦ補助光（測距するための閃光）源に適用させても構わないし、ストロボ光、ＡＦ補助光の両方を利用する装置に適用しても構わない。ＡＦ補助光を利用する装置の場合、通常は、静止画用トリガースイッチ１０４が半押し状態でＡＦ補助光を発光するので、その半押し状態に適用すれば良い。そして、全押しを行った場合には、上記実施形態と同様に行えば良い。
【００４９】
＜第２の実施形態＞
上記実施形態では、動画像の記録に影響を与えず、静止画の撮像タイミング及びストロボ装置１０９の閃光タイミングを制御するものであった。そして、ストロボ装置１０９による閃光期間をΔＴ、動画蓄積期間をＴｃとしたとき、静止画用トリガースイッチ１０４を押下してから最大でΔＴ＋Ｔｃだけディレイしたタイミングにて、Ｓｔｉｌｌ用ＣＣＤ１０７による撮像が開始されるものであった。
【００５０】
しかし、ストロボ装置１０９の閃光期間ΔＴが長くできる装置では、結果的に「ΔＴ＋Ｔｃ」という時間が長くなり、場合によっては、静止画用トリガースイッチ１０４を押下して実際に閃光開始するまでの時間に違和感を持たれる可能性は否定できない。
【００５１】
そこで、本第２の実施形態では、上記実施形態における期間Ｔｆを可能な限り長く確保する例を説明する。
【００５２】
説明を簡単なものとするため、装置構成は第１の実施形態の図１、図２と同様であるものとし、図１の概略構成図および図２の装置斜視図および図６のフローチャートを参照しながら、本第２の実施形態における撮像装置における静止画撮影処理について説明する。
【００５３】
静止画用トリガースイッチ１２５がユーザにより押下されると、静止画撮影要求がなされる（ステップＳ２０２）。ここで、カメラマイコン１１１は、動画撮影記録中かどうかの判断を行い（ステップＳ２０３）、動画撮影記録中でなければ、Ｓｔｉｌｌ用ＣＣＤ駆動制御部１０８に駆動命令（蓄積命令）を送り、Ｓｔｉｌｌ用ＣＣＤ１０７を制御し、通常どおりの静止画撮影を行う（ステップＳ２０８）。このとき、ストロボ装置１０９を閃光させるか否かは問わない。
【００５４】
また、動画撮影記録中であると判断した場合、カメラマイコン１１１は、静止画撮影にストロボ装置１０９を使用するかどうかの判断を行う（ステップＳ２０４）。ストロボ装置１０９を使用しない場合には、カメラマイコン１１１は、Ｓｔｉｌｌ用ＣＣＤ駆動制御部１０８に命令を送り、Ｓｔｉｌｌ用ＣＣＤ１０７を制御し、通常どおりの静止画撮影を行う（ステップＳ２０８）。
【００５５】
一方、動画撮影記録中に、静止画用トリガースイッチ１２５がユーザにより押下されたと判断（検出）した場合、現在がＭｏｖｉｅ用ＣＣＤ１０５の通常の非蓄積期間（詳細後述）にあるか否かを判断し、通常の非蓄積期間になるのを待つ。
【００５６】
Ｍｏｖｉｅ用ＣＣＤ１０５の通常の非蓄積期間になった、もしくは、通常の非蓄積期間内で静止画用トリガースイッチ１２５がユーザにより押下されたと判断した場合、カメラマイコン１１１は、Ｍｏｖｉｅ用のＣＣＤ駆動制御部１０６に命令を送り、Ｍｏｖｉｅ用ＣＣＤ１０５を非蓄積期間のままに維持させ（ステップＳ２１０）、ストロボ駆動制御部１１０に命令を送り、ストロボ装置１０９の閃光を開始（Ｓ２０６）、さらにＳｔｉｌｌ用ＣＣＤ駆動制御部１０８に命令を送り、Ｓｔｉｌｌ用ＣＣＤ１０７の蓄積を開始させることで、静止画撮影を開始する（Ｓ２０７）。
【００５７】
次に、カメラマイコン１１１は、ストロボ装置１０９の閃光期間が終了したかどうかの判断を行う（ステップＳ２１１）。ストロボ装置１０９を駆動する際に、どの程度の閃光期間にするかを、その際の露光量等から決定しているので、その時間経過をカウンタでクロックを計数することで判定すれば良い。ストロボ閃光期間が終わったと判断した場合、非蓄積期間の開始時からの経過時間Ｔが、通常の非蓄積期間に到達したか否かを判断し、その通常の蓄積期間に到達するまで待つ（ステップＳ２１２）。到達したと判断した場合、Ｍｏｖｉｅ用ＣＣＤ１０５を非蓄積期状態を解除して、次フィールドの蓄積を開始させ、通常動作に復帰する（Ｓ２０９）。
【００５８】
上記の「通常の非蓄積期間」であるが、これは先に説明した第１の実施形態の図３の期間Ｔｒに対応するものである。
【００５９】
かかる点を踏まえて、第２の実施形態におけるＭｏｖｉｅ用ＣＣＤ１０５およびＳｔｉｌｌ用ＣＣＤ１０７の蓄積期間、および閃光装置１０９の発光期間について、図７のタイミング概略図を参照しながら説明する。なお、ストロボ装置１０９を使用しないで静止画を撮像・記録する場合には、第１の実施形態と同様であるのでその説明は省略する。
【００６０】
図７（Ａ）は、ストロボ装置１０９を使用することが決定され、Ｍｏｖｉｅ用ＣＣＤ１０５の蓄積期間内に静止画用トリガースイッチ１２５が押下された場合を示している。この場合には、第１の実施形態と同様に、Ｍｏｖｉｅ用ＣＣＤ１０５の蓄積期間が終了するのを待って、ストロボ装置１０９を閃光させるべくストロボ駆動制御部１１０に制御命令を出力すると共に、静止画用のＣＣＤ駆動制御部１０８に命令を送り、Ｓｔｉｌｌ用ＣＣＤ１０７の蓄積を開始させることで、静止画撮影を開始する。
【００６１】
図７（Ｂ）は、Ｍｏｖｉｅ用ＣＣＤ１０５の通常の非蓄積期間（読出期間）内に、静止画用トリガースイッチ１２５が押下された場合のタイミングチャートを示している。
【００６２】
この場合、静止画用トリガースイッチ１２５が押下されたタイミングにて、ストロボ装置１０９を閃光させるべくストロボ駆動制御部１１０に制御命令を出力すると共に、静止画用のＣＣＤ駆動制御部１０８に命令を送り、Ｓｔｉｌｌ用ＣＣＤ１０７の蓄積を開始させることで、静止画撮影を開始する。ただし、閃光期間が完了したとき、Ｍｏｖｉｅ用ＣＣＤ１０５によって、次フィールドの撮影が開始される可能性があるので、閃光期間が完了するまでＭｏｖｉｅ用ＣＣＤ１０５の非蓄積期間を維持させる。閃光期間が終わったことをトリガにして、Ｍｏｖｉｅ用ＣＣＤ１０５による次フィールドの蓄積を開始させる。このため、図７（Ｂ）では、静止画用トリガースイッチ１２５が押下された時点での非蓄積期間は、通常の非蓄積期間Ｔｓよりもα期間だけ長くなることがある。このα期間は、０乃至ΔＴの範囲で変動するのは容易に理解できよう。
【００６３】
第１の実施形態では、静止画用トリガースイッチ１２５が押下してから最大でＴｓ＋ΔＴだけ待った後にストロボ装置１０９の閃光が開始したのに対し、本第２の実施形態によれば待ち時間は最大でもＴｓ期間にでき、静止画用トリガースイッチ１２５が押下してから実際にストロボ装置１０９の閃光期間がその分だけ短くなり、高いレスポンスを得ることができることを意味する。特に、ストロボ装置１０９の閃光期間が固定ではなく、その期間を長くできるような撮像装置に特に有利に作用することになる。
【００６４】
なお、図７（Ｂ）のような状況においては、動画像のフィールドの間隔が、静止画撮影の影響を受けて変化する可能性があるが、適当なバッファメモリを介在させることで、磁気テープに記録する際には通常のフィールド間隔で記録されるので、再生時にフィールド間隔が変ることはない。
【００６５】
以上述べたように、本第２の実施形態に従えば、先に説明した第１の実施形態と同様、動画、静止画の同時記録が可能な２板式撮像装置において、動画撮影用ＣＣＤの非蓄積期間内に、静止画撮影のためのストロボ装置１０９の閃光期間が存在すようにすることで、動画像が閃光装置による閃光の影響を受けることなく、安定した動画像記録を実現することができる。また、特に、本第２の実施形態によれば、静止画用トリガースイッチ１２５が押下してから実際にストロボ装置１０９の閃光するまでの期間が短くなり、違和感の発生しにくい操作環境を提供することが可能となる。
【００６６】
また、第２の実施形態でも、閃光源としてストロボ装置１０９を例にして説明したが、静止画撮影する際にＡＦ補助光（測距するための閃光）源に適用させても構わないし、ストロボ光、ＡＦ補助光の両方を利用する装置に適用しても構わない。ＡＦ補助光を利用する装置の場合、通常は、静止画用トリガースイッチ１０４が半押し状態でＡＦ補助光を発光するので、その半押し状態に適用すれば良い。そして、全押しを行った場合には、上記第２の実施形態と同様に行えば良い。
【００６７】
また、実施形態では、静止画撮像する際、Ｓｔｉｌｌ用ＣＣＤ１０７の蓄積期間内の前段階でストロボ発光する、所謂、前膜シンクロモードで説明したが、Ｓｔｉｌｌ用ＣＣＤ１０７の蓄積期間内の後端段階でストロボ発光する後膜シンクロモードでも構わない。ただし、後膜シンクロモードの場合、ストロボ発光タイミングが更に遅れる点、及び、蓄積終了タイミングに併せてストロボ発光タイミングを決定しなければならないので、制御が複雑にならざるを得ないので、上記実施形態で説明した先膜シンクロモードがより好ましい。
【００６８】
また、上記第１、第２の実施形態では、ストロボ装置が、撮像装置に一体に設けられる例を説明したが、ストロボ装置をオプションとして着脱自在な撮像装置において、そのストロボ装置を装着したことを検出した場合（適当なセンサで実現できる）に機能するようにしても良い。
【００６９】
また、上記第１、第２の実施形態では、動画像の記録媒体として磁気テープ（磁気テープカセット）を例にして説明したが、光ディスク等の円盤状記録媒体であっても構わない。
【図面の簡単な説明】
【００７０】
【図１】実施形態の撮像装置の構成を示すブロック構成図である。
【図２】実施形態の撮像装置の外観斜視図である。
【図３】第１の実施形態における動画像用ＣＣＤ、静止画用ＣＣＤ、及びストロボ駆動タイミングを示す図である。
【図４】第１の実施形態における静止画撮影処理時の動作処理手順を示すフローチャートである。
【図５】ストロボ発光許可信号を生成するための回路構成の一例を示す図である。
【図６】第２の実施形態における静止画撮影処理時の動作処理手順を示すフローチャートである。
【図７】第２の実施形態における動画像用ＣＣＤ、静止画用ＣＣＤ、及びストロボ駆動タイミングを示す図である。
【図１】
2005130100.tif 000003
【図２】
2005130100.tif 000004
【図３】
2005130100.tif 000005
【図４】
2005130100.tif 000006
【図５】
2005130100.tif 000007
【図６】
2005130100.tif 000008
【図７】
2005130100.tif 000009